(57)【特許請求の範囲】
【請求項１】
構造躯体への取り付けに用いる取付用プレートを固着するとともにパネル上端面に目地形成用の突部を有するパネルを、リフト手段に連結して吊り上げるためのパネル吊り用連結具であって、
連結具本体の上部に、前記リフト手段に連結される連結部を設け、
連結具本体の下部に、前記取付用プレートに着脱自在に固定される固定部と、前記突部の屋外側面に当接される押さえ部とを備え、
前記パネルを吊り上げる際、前記固定部と前記押さえ部とでパネル上部を保持するようにしてなることを特徴とするパネル吊り用連結具。
【請求項２】
構造躯体への取り付けに用いる取付用プレートを固着するとともにパネル上端面に目地形成用の突部を有するパネルを、リフト手段に連結して吊り上げるためのパネル吊り用連結具であって、
連結具本体は、前記取付用プレートに着脱自在に固定される固定部と、前記固定部に設けられ前記リフト手段に連結される連結部と、前記突部の屋外側面に当接される押さえ部とを備え、
前記パネルを吊り上げる際、前記固定部と前記押さえ部とでパネル上部を保持するようにしてなることを特徴とするパネル吊り用連結具。
【発明の詳細な説明】
【技術分野】
【０００１】
本発明は、クレーン等のリフト手段とパネルを連結して吊り上げるためのパネル吊り用連結具に関する。
【背景技術】
【０００２】
従来から、クレーン等のリフト手段を用いてパネルを吊り上げる際に、図６（ａ）（ｂ）に示すように、専用の吊り上げ用金具９０をパネル９に設け、この吊り上げ用金具９０とリフト手段３とをパネル吊り用連結具８で連結させるものが提案されている（特許文献１参照）。
【０００３】
このパネル吊り用連結具８は、リフト手段３に連結する連結部８１と、パネル９の屋外側面の上部に設けた専用の吊り上げ用金具９０に着脱自在に固定される固定部８２と、パネル９の屋内側面を押さえる押さえ部８３とを備える。
【先行技術文献】
【特許文献】
【０００４】
【特許文献１】特開２０００−５４６３７号公報
【発明の概要】
【発明が解決しようとする課題】
【０００５】
しかし、上述のパネル吊り用連結具８を用いるためには、パネル９に別途、専用の吊り上げ用金具９０を設けなければならず、コストがかさむ。
【０００６】
加えて、上述のパネル吊り用連結具８を用いてパネル９を吊り上げる際、パネル９の揺れを連結具本体８０の押さえ部８３で押さえると、パネル９の屋内側面が傷ついてしまうおそれがある。
【０００７】
そこで、上記事情を鑑みて、本発明は、パネルに専用の吊り上げ用金具を設けなくてもパネルとリフト手段とを連結することができてコスト削減を図ることができ、さらに、パネルの屋外側面と屋内側面が傷つくことを防止できるパネル吊り用連結具を提供することを課題とする。
【課題を解決するための手段】
【０００８】
上記課題を解決するための本発明のパネル吊り用連結具は、構造躯体への取り付けに用いる取付用プレートを固着するとともにパネル上端面に目地形成用の突部を有するパネルを、リフト手段に連結して吊り上げるためのパネル吊り用連結具であって、連結具本体の上部に、前記リフト手段に連結される連結部を設け、連結具本体の下部に、前記取付用プレートに着脱自在に固定される固定部と、前記突部の屋外側面に当接される押さえ部とを備え、前記パネルを吊り上げる際、前記固定部と前記押さえ部とでパネル上部を保持するようにしてなることを特徴とする。
【０００９】
また、上記課題を解決するための本発明のパネル吊り用連結具は、構造躯体への取り付けに用いる取付用プレートを固着するとともにパネル上端面に目地形成用の突部を有するパネルを、リフト手段に連結して吊り上げるためのパネル吊り用連結具であって、連結具本体は、前記取付用プレートに着脱自在に固定される固定部と、前記固定部に設けられ前記リフト手段に連結される連結部と、前記突部の屋外側面に当接される押さえ部とを備え、前記パネルを吊り上げる際、前記固定部と前記押さえ部とでパネル上部を保持するようにしてなることを特徴とする。
【発明の効果】
【００１０】
本発明のパネル吊り用連結具は、パネルに専用の吊り上げ用金具を設けなくてもパネルとリフト手段とを連結することができてコスト削減を図ることができ、さらに、パネルの屋外側面と屋内側面が傷つくことを防止できる。
【図面の簡単な説明】
【００１１】
【図１】本発明の第一実施形態のパネル吊り用連結具で、リフト手段と平置き状態のパネルを連結した状態を示し、（ａ）は上側から視た斜視図であり、（ｂ）は下側から視た斜視図である。
【図２】同上のパネル吊り用連結具を示す斜視図である。
【図３】同上のパネル吊り用連結具を用いてパネルを構造躯体に取り付ける施工状態を示す斜視図である。
【図４】同上のパネル吊り用連結具を用いてパネルを吊り上げ、このパネルを構造躯体に溶着した状態を示す側面図である。
【図５】本発明の第二実施形態のパネル吊り用連結具で、リフト手段と平置き状態のパネルを連結した状態を示し、上側から視た斜視図である。
【図６】従来のパネル吊り用連結具を示し、（ａ）はパネル吊り用連結具でリフト手段とパネルを連結した状態の側面図であり、（ｂ）はリフト手段に連結したパネル吊り用連結具をパネルに連結させる状態の正面図である。
【発明を実施するための形態】
【００１２】
以下、本発明を添付図面に示す実施形態に基づいて説明する。
【００１３】
本発明の第一実施形態では、クレーン等のリフト手段３とパネル２とをパネル吊り用連結具１によって連結する構造となっている。以下においては、図３に示すようにパネル２をパネル吊り用連結具１を介してリフト手段３によって吊り上げた状態を基準として上下を説明し、図３の手前側を屋外側とし、図３の奥側を屋内側とする。
【００１４】
図１（ａ）は、吊り上げる前の平置き状態のパネル２とリフト手段３を、パネル吊り用連結具１で連結した状態の斜視図であり、図１（ｂ）は、その状態を別の方向から視た斜視図である。
【００１５】
パネル２は、矩形状のサンドイッチパネルであり、屋内側面と屋外側面とが、表面に防汚加工等が施された化粧鋼板で構成され、その間にロックウール等の断熱材が充填されている。なお、パネル２は、コンクリートパネル等でもよく、上述のものに限定されない。
【００１６】
パネル２は、その上端面に、上方に向けて突出する目地形成用の突部２０が左右方向（上端面の長手方向）の全長に亘って形成されている。なお、この目地形成用の突部２０は、パネル２の両側端面と下端面にも全長に亘って形成されており、パッキンが被されている。２枚のパネル２，２を上下に連接させた際（図３参照）、下方のパネル２の上端面の突部２０が、上方のパネル２の下端面の突部２０に突き合わさって、２枚のパネル２，２間には所定幅の目地が形成される。この目地には、目地材が充填されて、突部２０は施工完了時、屋外側から視えなくなる。
【００１７】
パネル２の上部の屋内側面には、図１（ａ）に示すように、梁などの構造躯体４（図３，４参照）に取り付けられる取付用プレート２１が固着されている。取付用プレート２１は、パネル２に固定される略矩形状のパネル固定板２２と、このパネル固定板２２に固定される２つの略矩形状の突出板２３とから構成される。突出板２３は、その一端部（下端部）がパネル固定板２２に固定され、他端部（上端部）がパネル２の上端より上方に突出する。突出板２３の他端部（上端部）には、パネル吊り用連結具１の後述する固定ねじ１７が着脱自在に螺合可能となる固定ねじ孔２４が貫通形成されている。実際には、取付用プレート２１のうち、突出板２３の他端部（上端部）が固定ねじ孔２４を介したねじ固定や溶接、またはその両方によって構造躯体４に取り付けられる。パネル２とパネル固定板２２と２つの突出板２３はそれぞれ、ワンサイドボルト等のねじで固定されている。なお、パネル固定板２２と２つの突出板２３は一体成形したものであってもよいし、溶接などにより固定したものであってもよい。上述の取付用プレート２１は、固定したパネル２の左右方向の中心線に対して線対称となるように設けられているが、その中心線に対して非対称となるように設けられていてもかまわない。
【００１８】
図２に示すように、パネル吊り用連結具１は、連結具本体１０の上部に、リフト手段３に連結される連結部１１を備える。そして、連結具本体１０の下部に、パネル２の取付用プレート２１に着脱自在に固定される固定部１２と、パネル２の突部２０の屋外側面に当接される押さえ部１３とを備える。
【００１９】
連結具本体１０は、略台形状の平板部１４と、その平板部１４の下端部から延設したＬ字状の押さえ部１３と、平板部１４の上端部から延設した略矩形状の連結部基部１５と、３つの略直角三角形形状の補強部１６から形成されている。Ｌ字状の押さえ部１３は、先端部分が平板部１４に対して略平行で、基端部分が平板部１４に対して略垂直である。連結部１１は、リング状のものであり、下端部分が連結具本体１０の連結部基部１５にねじ固定されている。押さえ部１３と平板部１４には、補強部１６の直角を成す２辺がそれぞれ溶接されて補強されている。また、連結部基部１５の左右方向の両端部とその部分に対応する平板部１４には、補強部１６の直角を成す２辺がそれぞれ溶接されて補強されている。なお、この補強部１６によって補強されたパネル吊り用連結具１は、本実施形態のパネル２の重さの１０倍のものを吊り下げても、破損しないような強度で形成されている。
【００２０】
平板部１４の下部には、固定ねじ１７の軸部が貫通する貫通孔１８が２つ形成されている。固定ねじ１７は、アイボルトからなり、頭部がリング状で、軸部が外周面に螺旋状のねじ溝を形成したものである。貫通孔１８は、固定ねじ１７の軸部よりも若干径が広く、内周面にねじ溝が形成されていないものとなっているが、内周面に固定ねじ１７の軸部と螺合するねじ溝が形成されたものであってもよい。本実施形態では、この２対の貫通孔１８と固定ねじ１７とで、固定部１２を成す。
【００２１】
上述の固定ねじ１７は、連結具本体１０に連結コード１００を介して連結される。そのため、固定ねじ１７は、固定ねじ孔２４から取り外しても、連結具本体１０から外れ落ちないようになっている。詳しくは、平板部１４の上部には、連結コード１００の一端が着脱自在に連結される２つの連結孔１９が貫通形成されている。連結コード１００は、中央部がコイル状になった伸縮自在なものである。連結コード１００の他端は、固定ねじ１７のリング状の頭部に連結される。なお、上述のパネル吊り用連結具１は、固定したパネル２の左右方向の中心線に対して線対称となるように設けられているが、その中心線に対して非対称となるように設けられていてもかまわない。
【００２２】
続いて、上述のパネル吊り用連結具１を用いて、パネル２をリフト手段３で吊り上げる際の施工手順の一例について説明する。
【００２３】
まず、連結コード１００の一端部をパネル吊り用連結具１の連結孔１９に連結させる。次に、連結具本体１０下部の２つの貫通孔１８をそれぞれ、パネル２に設けた取付用プレート２１の固定ねじ孔２４に合わせる。このとき、連結具本体１０下部の押さえ部１３の先端部の屋内側面が、パネル２の上端面の突部２０の屋外側面に当接する。次に、固定ねじ１７の軸部を貫通孔１８を介して固定ねじ孔２４に螺合させていく。固定ねじ１７の頭部の屋内側の端部が、貫通孔１８周りの平板部１４に接触するまで、固定ねじ１７を締め付ける。次に、パネル吊り用連結具１の連結部１１にリフト手段３（クレーンに連結されたベルト）を連結させる。最後に、リフト手段３でパネル２の吊り上げを行う。なお、パネル２は吊り上げた後、図４に示すように、取付用プレート２１の突出板２３を構造躯体４に溶着させる。その後、固定ねじ１７を外して、取付用プレート２１からリフト手段３と一体のパネル吊り用連結具１を取り外す。
【００２４】
以上のようにパネル２とリフト手段３を連結するパネル吊り用連結具１は、パネル２に設けた、構造躯体４に取り付けるための取付用プレート２１の固定ねじ孔２４を利用して、パネル２に連結することができる。そのため、従来例のように、パネル２に専用の吊り上げ用金具を設けなくてもよいので、コスト削減を図ることができる。
【００２５】
加えて、パネル吊り用連結具１は、パネル２の屋内側面に設けた取付用プレート２１に、連結具本体１０の固定部１２を固定することで、パネル２の屋内側面にパネル吊り用連結具１が接触することを防止できる。そして、パネル２の上端面の突部２０の屋外側面に、連結具本体１０の押さえ部１３を当接させることで、パネル２の屋外側面にパネル吊り用連結具１が接触することを防止できる。よって、本実施形態では、パネル吊り用連結具１の、パネル２の屋内側面と屋外側面それぞれへの接触を防止して、パネル２の屋内側面と屋外側面が傷つくことを防止できる。なお、パネル２における、パネル吊り用連結具１の押さえ部１３が接触する部分は、施工完了時、充填された目地材によって、屋外側からは視えない部分となっている。
【００２６】
また、本実施形態では、パネル２を吊り上げる際、固定部１２と押さえ部１３とでパネル２上部を保持したようになる。詳しくは、パネル２は、吊り上げられる際、パネル吊り用連結具１の押さえ部１３と、パネル吊り用連結具１の固定部１２を固定した取付用プレート２１とで、屋内側と屋外側から挟みこまれたような様態となる。そのため、本実施形態では、この両方向への揺れを抑えた状態でパネル２は吊り上げることができる。
【００２７】
また、パネル２を平置き状態（図１参照）から起こす際に、パネル２の自重を、取付用プレート２１の突出板２３と、パネル吊り用連結具１の押さえ部１３とで分散して支持できるので、このとき、パネル２の屋内側面がパネル内側の断熱材から剥がれてしまうことを防止できる。
【００２８】
続いて、図５に示す本発明の第二実施形態について説明を行う。なお、第一実施形態と同じ構成については、図中に同じ符号を付けて説明を省略する。
【００２９】
本実施形態では、パネル２の上端部に沿った形状の取付用プレート２５が固定されたパネル２とリフト手段３とを、第一実施形態とは別形状のパネル吊り用連結具５によって連結する構造となっている。このパネル２は、例えば、窓等の開口部の下部を構成するものである。なお、パネル２は、第一実施形態と同様に、上端面に目地形成用の突部２０を有しており、パネル２上部の屋内側面に、構造躯体４への取り付けに用いる取付用プレート２５を固着したものである。
【００３０】
取付用プレート２５は、パネル２に固定される略矩形状のパネル固定板２６と、このパネル固定板２６に固定される断面略Ｌ字状の突出板２７とから構成される。突出板２７は、その一端部（下端部）がパネル固定板２６に固定され、他端部（上端部）がパネル２の上端面に沿っている。突出板２７の他端部（上端部）には、パネル吊り用連結具５の後述する固定ねじ６が着脱自在に螺合する固定ねじ孔（図示せず）が貫通形成されている。本実施形態では、取付用プレート２５のうち、突出板２７の一端部（下端部）と他端部（上端部）の間の部分が溶接により構造躯体４に取り付けられる。パネル２とパネル固定板２６と突出板２７は、それぞれねじ固定されているが、一体成形したものや、溶接などにより固定したものであってもよい。なお、取付用プレート２５は、固定したパネル２の左右方向の中心線に対して線対称となるように設けられているが、その中心線に対して非対称となるように設けられてもかまわない。
【００３１】
パネル吊り用連結具５は、連結具本体５０に、パネル２の取付用プレート２５に着脱自在に固定される固定部５２を備える。そして、連結具本体５０は、固定部５２に設けられリフト手段３に連結される連結部５１と、パネル２の突部２０の屋外側面に当接される押さえ部５３とを備える。詳しくは、連結具本体５０の屋内側部分に、リフト手段３に連結される連結部５１と、パネル２の取付用プレート２５に着脱自在に固定される固定部５２を備える。そして、連結具本体５０の屋外側部分に、パネル２の突部２０の屋外側面に当接される押さえ部５３を備える。
【００３２】
連結具本体５０は、断面略Ｌ字状であり、略矩形状の平板部５４と、その平板部５４の屋外側の端部から下方に略垂直に延設した押さえ部５３から形成されている。
【００３３】
本実施形態では、連結部５１は、アイボルトのリング状の頭部分であり、固定ねじ６は、アイボルトの軸部分（外周面に螺旋状のねじ溝を形成した軸部分）である。
【００３４】
平板部５４の屋内側部分には、固定ねじ６が貫通する貫通孔（図示せず）が２つ形成されている。貫通孔は、固定ねじ６よりも若干径が広く、内周面にねじ溝が形成されていないものとなっているが、内周面に固定ねじ１７の軸部と螺合するねじ溝が形成されたものであってもよい。本実施形態では、この２対の貫通孔と固定ねじ６とで、固定部５２を成す。なお、上述したパネル吊り用連結具５は、固定したパネル２の左右方向の中心線に対して線対称となるように設けられているが、その中心線に対して非対称となるように設けられていてもかまわない。
【００３５】
続いて、上述のパネル吊り用連結具５を用いて、パネル２をリフト手段３で吊り上げる際の施工手順の一例について説明する。
【００３６】
まず、連結具本体５０下部の２つの貫通孔をそれぞれ、パネル２に設けた取付用プレート２５の固定ねじ孔に合わせる。このとき、連結具本体５０下部の押さえ部５３の屋内側面が、パネル２の上端面の突部２０の屋外側面に当接する。次に、アイボルトの軸部分である固定ねじ６を貫通孔を介して取付用プレート２５の固定ねじ孔に螺合させていく。アイボルトの頭部分の下端部が、貫通孔周りの平板部５４に接触するまで、固定ねじ６を締め付ける。次に、アイボルトの頭部分である連結部５１にリフト手段３（クレーンに連結されたベルト）を連結させる。そして、リフト手段３でパネル２の吊り上げを行う。なお、パネル２は吊り上げた後、取付用プレート２５の突出板２７を構造躯体４に溶着させる。その後、固定ねじ６を緩めて、取付用プレート２５から、リフト手段３と一体となったパネル吊り用連結具５を取り外す。
【００３７】
以上のようにパネル２とリフト手段３を連結するパネル吊り用連結具５では、パネル２に設けた、構造躯体４に取り付けるための取付用プレート２５の固定ねじ孔を利用して、パネル２に連結することができる。そのため、本実施形態においても、従来例のように、パネル２に専用の吊り上げ用金具を設けなくてもよいので、コスト削減を図ることができる。
【００３８】
また、本実施形態では、第一実施形態と同様に、パネル吊り用連結具５の、パネル２の屋内側面と屋外側面それぞれへの接触を防止して、パネル２の屋内側面と屋外側面が傷つくことを防止できる。また、パネル２における、パネル吊り用連結具５の押さえ部５３が接触する部分は、施工完了時、目地材が充填されて、屋外側からは視えない部分となっている。
【００３９】
また、本実施形態では、パネル２を吊り上げる際、固定部５２と押さえ部５３とでパネル２上部を保持したようになる。詳しくは、パネル２は、吊り上げられる際、パネル吊り用連結具１の押さえ部５３と、パネル吊り用連結具１の固定部５２を固定した取付用プレート２５とで、屋内側と屋外側から挟みこまれたような様態となる。そのため、本実施形態では、第一実施形態と同様に、この両方向への揺れを抑えた状態でパネル２は吊り上げることができる。
【００４０】
また、本実施形態では、パネル２を平置き状態（図５参照）から起こす際に、パネル２の自重を、取付用プレート２５の突出板２７と、パネル吊り用連結具５の押さえ部５３とで分散して支持できる。そのため、本実施形態では、第一実施形態と同様に、この際、パネル２の屋内側面がパネル内側の断熱材から剥がれてしまうことを防止できる。
【００４１】
なお、上述した本実施形態では、パネル２は左右対称な矩形状のものであったが、これに限らず、例えばコーナー部材や型曲げパネルなどの左右非対称の異型パネルであってもかまわない。また、パネル吊り用連結具も左右非対称な偏心タイプのものであってもかまわない。いずれの形状を採用した場合でも、パネルをパネル吊り用連結具を介してリフト手段でバランスよく持ち上げることができるようにすればよい。
【００４２】
また、上述した本実施形態では、パネル２の屋内側面の上部に取付用プレート２１，２５を取り付けたが、この取付位置はこれに限らず、例えば、パネル２の屋内側面の中央部や、パネル２の上端面であってもよい。
【００４３】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４４】
１      パネル吊り用連結具
１０    連結具本体
１１    連結部
１２    固定部
１３    押さえ部
２      パネル
２０    突部
２１    取付用プレート
３      リフト手段
４      構造躯体
【図１】
0005771022.tif 000002
【図２】
0005771022.tif 000003
【図３】
0005771022.tif 000004
【図４】
0005771022.tif 000005
【図５】
0005771022.tif 000006
【図６】
0005771022.tif 000007